(57)【要約】【課題】ボール径が小さなボールペンにおいて、組立て時に、インキ収容管の前後を識別する必要がなく、また、インキ収容管の尾端開口にインキ充填ノズルを挿入し易くて組立てが容易なボールペンレフィールを提供する。【解決手段】継手２にボール１１を回転自由に抱持したチップ１が取り付けられ、この継手が合成樹脂製のインキ収容管３の先端開口に嵌着されたボールペンレフィールにおいて、インキ収容管の両端に、インキ収容管の内径よりも大径の継手被嵌着部３１を形成する。【選択図】  図１
2004322485.tif 000002
【特許請求の範囲】
【請求項１】
ボールを回転自由に抱持したチップが継手に取り付けられ、該継手が合成樹脂製のインキ収容管の先端開口に嵌着されたボールペンレフィールにおいて、
前記インキ収容管は、その両端に、該インキ収容管の内径よりも大径の継手被嵌着部が形成されたことを特徴とするボールペンレフィール。
【発明の詳細な説明】
【０００１】
【発明の属する技術分野】
本発明は、ボールペンの軸筒内に収容されるレフィールに関するものである。
【０００２】
【従来の技術】
ボールペンの軸筒に収容されるレフィールは、ボールを回転自由に抱持したチップが継手に取り付けられ、この継手がインキ収容管の先端開口に嵌着されてなる。そして、インキ収容管内には、静的には粘度が高く、ボールの回転による剪断力により粘度が低下する所謂ゲルインキが充填され、インキの尾端にグリース状の逆流防止剤が配置されたものが多い。そして、インキの消費につれて逆流防止剤が前進するが、軸筒およびインキ収容管を透明な合成樹脂で成形し、インキの残量を目視で確認できるようにしている。そして、インキの残量がなくなると新しいレフィールと交換する。
【０００３】
ボールの大きさは、一般事務用のボールペンにおいては、径がφ０．５ｍｍのものが標準的であるが、ボールペンの用途の多様化により、φ０．５ｍｍよりも大きなボールや、逆にこれよりも小さなボールを使用したボールペンが実用化されている。また、インキ収容管は透明なＰＰパイプを所定の長さに切断したものが安価であり製造も簡単なのため使用されることが多い。
【０００４】
【発明が解決しようとする課題】
ところで、ボールの径が異なるボールペンであっても、軸筒を共通化し、したがって、インキ収容管の外径や長さも共通化されるが、ボールの径が例えば３〜４ｍｍφ程度の小さいボールペンは所定の筆跡長さを筆記するのに消費するインキ量が少ない。一方、ボールを回転自由に抱持したチップの耐久性は限られているので、ボールの径が小さいにもかかわらず、インキ収容管を共通化してボール径の大きいボールペンの場合と同量のインキをインキ収容管に充填すると、チップの耐久性と充填されたインキ量のバランスがとれず、チップの耐久性が尽きて筆記不能となったときにもインキが残ることが起こり得る。したがって、インキが存在するにもかかわらずレフィールを交換する必要があり、ユーザへに与える印象が悪くなる。
また、インキ収容管をボール径の大きなボールペンと共通化して、つまり内径の大きなインキ収容管を使用してインキの充填量を少なくすると、インキ収容管の尾端側に長い空白空間ができ、この場合も、購入時においてユーザに与える印象が悪くなる不都合がある。
【０００５】
このため、ボール径の小さなボールペンにおいては、インキ収容管の内径を小さくする必要があるが、インキ収容管の先端開口には、ボール径の大きなボールペンと共通化された継手が嵌着されるので、インキ収容管の先端開口に、内径よりも大径の継手被嵌着部を形成する必要がある。このため、組立て時において、インキ収容管の前後を識別して組立てる必要が生じる。また、インキ充填ノズルをインキ収容管の尾端開口から挿入してインキを充填するが、インキ収容管の尾端開口の内径が小さいと、インキ充填ノズルを挿入しにくい不具合がある。
【０００６】
そこで本発明は、組立て時において、インキ収容管の前後を識別する必要がなく、また、インキ収容管の尾端開口にインキ充填ノズルを挿入し易くて組立てが容易なボールペンレフィールを提供することを目的とする。
【０００７】
【課題を解決するための手段】
かかる目的を達成するために、本発明は、ボール径の小さなボールペン用のレフィールであって、ボールを回転自由に抱持したチップが継手に取り付けられ、この継手が合成樹脂製のインキ収容管の先端開口に嵌着されたボールペンレフィールにおいて、インキ収容管の両端に、インキ収容管の内径よりも大径の継手被嵌着部を形成する。
【０００８】
【発明の実施の形態】
以下に、図面に基づいて本発明の実施の形態を具体的に説明する。図１において、ステンレスにて砲弾型に成形されたチップ１は、その先端のボールハウスにおいてボール１１を回転自由に抱持している。ボール１１は、超硬合金からなる外径が例えば０．３８ｍｍφの球体であり、標準的なボールよりも径が小さい。このボール１１はスプリング１２により、チップ１先端の内向き片に押圧されており、ボール１１とチップ１先端の内向き片とで弁機構を構成している。このチップ１が継手２の先端開口に嵌着されている。継手２は中央部に鍔部２１が形成され、鍔部２１の尾端側が嵌着部２２であるが、この継手２はボール径の異なるボールペンと共通化されたものである。
【０００９】
インキ収容管３は、図２に示すように、合成樹脂にて円筒状に成形されたものであり、両端に継手２の嵌着部２２が嵌着される継手被嵌着部３１、３１が形成されている。継手被嵌着部３１の内周面には、低い円環状の突起３２が形成されており、継手２の嵌着部２２を嵌着したときに、突起３２が嵌着部２２の外周面に圧接して強固に嵌着できるとともにインキが洩れないようになっている。インキ収容管３の外径は、例えば６ｍｍφ、内径は２．５ｍｍφ、継手被嵌着部３１の開口部の内径は４．５ｍｍφであるが、全長と外径はボール径の異なるボールペンと同一になっている。
【００１０】
インキ収容管３からチップ１の内部にかけて、静的には粘度が高く、ボールの回転による剪断力により粘度が低下する所謂ゲルインキＩが充填され、インキＩの尾端にグリース状の逆流防止剤４が配置されている。そして、筆記によってインキＩが消費するにつれて逆流防止剤４が前進する。
【００１１】
このように、インキ収容管３の両端に継手被嵌着部３１、３１が形成されているので、インキ収容管３の前後に方向性がなく、継手２の嵌着部２２を継手被嵌着部３１に嵌着する際に、組立装置がインキ収容管３の前後を識別する必要がなく、それだけ組立装置を簡略化できる。また、インキ充填ノズルをインキ収容管３の尾端開口から挿入してインキをインキ収容管３に充填するが、インキ収容管３の尾端部にも継手被嵌着部３１が形成されて内径が大きくなっているので、インキ収容管３の内径が小さいにもかかわらず、インキ充填ノズルをインキ収容管３の尾端開口から挿入し易い利点を有する。
【００１２】
【発明の効果】
以上説明したように、本発明は、継手にボールを回転自由に抱持したチップが取り付けられ、この継手が合成樹脂製のインキ収容管の先端開口に嵌着されたボールペンレフィールにおいて、インキ収容管の両端に、インキ収容管の内径よりも大径の継手被嵌着部を形成したので、ボール径の小さなボールペン用のレフィールであって、組立て時において、インキ収容管の前後を識別する必要がなく、また、インキ収容管の尾端開口にインキ充填ノズルを挿入し易くて組立てが容易なボールペンレフィールとすることができる。
【図面の簡単な説明】
【図１】本発明実施例の断面図である。
【図２】インキ収容管の断面図である。
【符号の説明】
１    チップ
１１    ボール
１２    スプリング
２    継手
２１    鍔部
２２    嵌着部
３    インキ収容管
３１    継手被嵌着部
３２    環状突起
４    逆流防止剤
Ｉ    インキ
【図１】
2004322485.tif 000003
【図２】
2004322485.tif 000004